(57)【特許請求の範囲】
【請求項１】
モバイル端末であって、
本体と、フレキシブルスクリーンアセンブリと、を含み、
前記本体には、収容室が開けられ、前記本体は、背向して設けられている正面と背面とを含み、前記収容室の開口は、前記正面と前記背面との間に位置し、
前記フレキシブルスクリーンアセンブリは、順次、接続される固定部と自由部とを含み、
前記固定部は、前記正面に設けられ、前記自由部は、折り曲がって前記収容室に収容されることを特徴とするモバイル端末。
【請求項２】
前記本体は、側壁をさらに含み、前記側壁は、前記正面と前記背面との間に接続され、
前記収容室の開口は、前記側壁に位置することを特徴とする請求項１に記載のモバイル端末。
【請求項３】
前記モバイル端末は、支持板をさらに含み、前記支持板は、順次、接続される回動部と支持部とを含み、前記回動部は、前記側壁に回動的に接続され、前記支持部は、前記背面に回動的に接触されることを特徴とする請求項２に記載のモバイル端末。
【請求項４】
前記背面には、凹部が開けられ、
前記支持部が前記背面に接触される場合、前記支持部は、前記凹部に収容されることを特徴とする請求項３に記載のモバイル端末。
【請求項５】
前記モバイル端末は、接続アセンブリをさらに含み、前記接続アセンブリは、第１の接続部材と第２の接続部材とを含み、前記第１の接続部材は、前記凹部に設けられ、前記第２の接続部材は、前記支持部に設けられ、
前記支持部が前記凹部に収容される場合、前記第２の接続部材は、前記第１の接続部材に接続されることを特徴とする請求項４に記載のモバイル端末。
【請求項６】
前記モバイル端末は、撮像モジュールをさらに含み、
前記撮像モジュールは、前記本体に設けられ、且つ前記フレキシブルスクリーンアセンブリと同一側にあることを特徴とする請求項１又は２に記載のモバイル端末。
【請求項７】
前記モバイル端末は、保護部材をさらに含み、
前記保護部材は、前記フレキシブルスクリーンアセンブリに設けられ、
前記保護部材は、前記本体と前記フレキシブルスクリーンアセンブリとの間に位置することを特徴とする請求項１に記載のモバイル端末。
【請求項８】
モバイル端末であって、
本体と、フレキシブルスクリーンアセンブリと、を含み、
前記本体は、背向して設けられている正面と背面と、前記正面と前記背面との間に接続される側壁と、を含み、前記本体には、収容室が開けられ、前記収容室の開口は、前記側壁に位置し、
前記フレキシブルスクリーンアセンブリは、固定部と、前記固定部の側辺から延出する自由部と、を含み、前記固定部は、前記本体の正面に固定され、前記自由部は、折り曲がって前記側壁を回避して前記背面に接触し、
前記収容室は前記フレキシブルスクリーンアセンブリの前記自由部のサイズと同じであり、前記フレキシブルスクリーンアセンブリの前記自由部を前記収容室に収容させられることを特徴とするモバイル端末。
【請求項９】
前記モバイル端末は、支持板をさらに含み、
前記支持板の一側は、前記側壁に回動的に接続され、前記支持板は、前記自由部を支持するためのものであることを特徴とする請求項８に記載のモバイル端末。
【請求項１０】
前記支持板は、回動部と、前記回動部に接続される支持部と、を含み、
前記回動部は、前記側壁に回動的に接続され、
前記支持部は、前記背面に回動的に接触されることを特徴とする請求項９に記載のモバイル端末。
【請求項１１】
前記本体は、背向して設けられ且つ前記正面と前記背面との間に接続される上部端面と下部端面とを含み、
前記側壁には、ストリップ状の切欠きが開けられ、前記ストリップ状の切欠きは、前記上部端面から前記下部端面への方向に沿って対向して設けられる二つの溝壁を有し、
前記回動部は、前記二つの溝壁に回動的に接続されることを特徴とする請求項１０に記載のモバイル端末。
【請求項１２】
前記二つの溝壁には、回動孔がそれぞれ開けられ、
前記回動部は、柱状であり、前記回動部における軸方向に沿って背向して設けられる両側には、それぞれ回動軸が凸設され、二つの前記回動軸は、二つの前記回動孔にそれぞれ回動的に接続されることを特徴とする請求項１１に記載のモバイル端末。
【請求項１３】
前記背面には、凹部が開けられ、前記凹部は、前記正面に接近する方向に向かって凹み、
前記支持部は、前記凹部に収容され、
前記正面から前記背面への方向において、前記凹部の厚さは、前記支持部の厚さ以下であることを特徴とする請求項１０に記載のモバイル端末。
【請求項１４】
前記モバイル端末は、二つの接続部材をさらに含み、
一つの前記接続部材は、前記凹部に設けられ、もう一つの前記接続部材は、前記支持部に設けられ、前記二つの接続部材が互いに接続されて前記支持部を前記凹部に安定的に固定させることを特徴とする請求項１３に記載のモバイル端末。
【請求項１５】
前記モバイル端末は、保護部材をさらに含み、
前記保護部材は、前記固定部と前記正面との間に設けられ、前記固定部を支持するためのものであることを特徴とする請求項８に記載のモバイル端末。
【発明の詳細な説明】
【優先権情報】
【０００１】
本発明は、２０１５年１２月２９日に提出され且つ発明の名称が「モバイル端末」であり、出願番号が２０１５１１０２６１７０.８である先の出願の優先権を主張するものであり、上記先の出願の内容は参照により本明細書に組み入れられる。
【技術分野】
【０００２】
本発明は、電子機器分野に関し、特に、モバイル端末に関するものである。
【背景技術】
【０００３】
モバイル端末の表示画面は、大型化する発展傾向になっている。従来技術において、メーカーは、モバイル端末のサイズを絶えず拡大することにより、表示画面の大型化を実現する一方、モバイル端末のサイズが益々大きくなるため、ユーザーが携帯するのに不便となり、モバイル端末の携帯性を低減させている。
【発明の概要】
【発明が解決しようとする課題】
【０００４】
本発明は、モバイル端末を提供する。
【課題を解決するための手段】
【０００５】
本発明は、本体と、フレキシブルスクリーンアセンブリと、を含むモバイル端末を提供し、前記本体には、収容室が開けられ、前記本体は、背向して設けられている正面と背面とを含み、前記収容室の開口は、前記正面と前記背面との間に位置し、前記フレキシブルスクリーンアセンブリは、順次、接続される固定部と自由部とを含み、前記固定部は、前記正面に設けられ、前記自由部は、折り曲がって前記収容室に収容され、又は前記背面に接触される。
【０００６】
本発明は、本体と、フレキシブルスクリーンアセンブリと、を含むもう一つのモバイル端末をさらに提供し、前記本体は、背向して設けられている正面と背面と、前記正面と前記背面との間に接続される側壁と、を含み、前記本体には、収容室が開けられ、前記収容室の開口は、前記側壁に位置し、前記フレキシブルスクリーンアセンブリは、固定部と、前記固定部の側辺から延出する自由部と、を含み、前記固定部は、前記本体の正面に固定され、前記自由部は、折り曲がって前記側壁を回避して前記背面に接触し、又は前記収容室の開口から前記収容室内に伸びる。
【図面の簡単な説明】
【０００７】
本発明の技術案をより明確に説明するために、以下、実施形態における用いる必要のある図面について簡単に紹介する。明らかに、以下の説明における図面は、単なる本発明の一部の実施形態であり、当業者にとって、創造的労働を貢献しないという前提で、これらの図面に基づいて他の図面をさらに取得することができる。
【０００８】
【図１】本発明の実施例により提供されるモバイル端末が収容状態にある場合の概略図である。
【図２】図１に示されるモバイル端末が収容状態にある場合の、ほかの角度から見た概略図である。
【図３】本発明の実施例により提供されるモバイル端末が使用状態にある場合の概略図である。
【図４】図３に示されるモバイル端末が使用状態にある場合の、ほかの角度から見た概略図である。
【発明を実施するための形態】
【０００９】
以下、本発明の実施形態における図面と組み合わせて、本発明の実施形態における技術案について明確かつ完全に説明する。
【００１０】
本発明の実施例に係るモバイル端末１００は、通信と記憶との機能を備える任意の機器であってもよい。例えば、タブレット、携帯電話、電子書籍リーダー、リモコン、パソコン（Ｐｅｒｓｏｎａｌ
Ｃｏｍｐｕｔｅｒ，ＰＣ）、ラップトップ、車載機器、インターネットテレビ、ウェアラブルデバイスなどのネットワーク機能を有するスマートデバイスであってもよい。
【００１１】
なお、本発明の実施例の説明において、「上」、「下」、「左」、「右」などの用語が示す方位又は位置関係は、図面に示す方位又は位置関係に基づき、本発明を便利に又は簡単に説明するためのものであり、指定された装置又は部品が必ず特定の方位にあり、特定の方位において構造され操作されると指示又は暗示するものではないので、本発明に対する限定と理解してはならない。
【００１２】
本発明の実施例により提供されるモバイル端末１００は、本体１と、フレキシブルスクリーンアセンブリ２と、を含む。フレキシブルスクリーンアセンブリ２の固定部２１は、本体１の正面１１に設けられ、フレキシブルスクリーンアセンブリ２の自由部２２は、自在に折り曲げることができる。また、本体１には、収容室１５ａが開けられ、自由部２２を使用しない場合、自由部２２が折り曲がって背面１２に貼り合わせられ、又は自由部２２が折り曲がって収容室１５ａに収容されて収容し、モバイル端末１００の体積を低減させ、モバイル端末１００の携帯性を向上させる。
【００１３】
本実施例において、本体１は、矩形の構造部材である。本体１の内部には、回路基板と、回路基板に電気的に接続されている電子部品と、が設けられている。本体１は、背向して設けられている正面１１と背面１２と、背向して設けられている上部端面１３と下部端面１４と、背向して設けられている二つの側壁１５と、を含む。ここで、本体１の厚さは、正面１１と背面１２との間の距離と定義され、本体１の長さは、上部端面１３と下部端面１４との間の距離と定義され、本体１の幅は、本体１の二つの側壁１５間の距離と定義される。
【００１４】
ここで、本体１の側壁１５には、収容室１５ａが開けられている。当該収容室１５ａは、自由部２２のサイズと同じであるため、自由部２２を好適に収容室１５ａに収容することができる。
【００１５】
本実施例において、フレキシブルスクリーンアセンブリ２は、順次、接続される固定部２１と自由部２２とを含む。固定部２１は、正面１１に設けられ、また、フレキシブルスクリーンアセンブリ２は、本体１に電気的接続され、自由部２２の端部は、側壁１５から離反する方向に向けて伸び、背面１２に接触されている。
【００１６】
具体的には、フレキシブルスクリーンアセンブリ２は、長矩形である。フレキシブルスクリーンアセンブリ２の長さは、正面１１と背面１２の幅の和より小さく、自由部２２が折り曲がって背面１２に貼り合わせられる場合、自由部２２の端部は、本体１から伸出しない。フレキシブルスクリーンアセンブリ２は、電気信号を主に固定部２１に集積させ、自由部２２の折り曲げを便利にする。なお、フレキシブルスクリーンアセンブリ２が本体１に電気的接続された後、ユーザーは、フレキシブルスクリーンアセンブリ２にタッチすることにより、モバイル端末１００とインタラクションを行う。
【００１７】
ここで、自由部２２を側壁１５に沿って折り曲げて背面１２に貼り合わせることができ、自由部２２が折り曲がって背面１２に貼り合わせられる場合、ユーザーは、背面１２でモバイル端末１００の表示内容をチェックすることができる。モバイル端末１００を使用しない場合、自由部２２を折り曲げて収容室１５ａに押し込んで収容する。
【００１８】
モバイル端末１００をフルスクリーンで使用する必要がある場合には、フレキシブルスクリーンアセンブリ２を展開状態にして、大画面を形成する。モバイル端末１００を使用する必要のない場合、又はスモールスクリーンのみで使用する必要のある場合には、自由部２２を収容室１５ａに収容するか、又は自由部２２を折り曲げて背面１２に貼設することで、モバイル端末１００の体積を低減させ、モバイル端末１００の携帯性を向上させる。
【００１９】
本実施例において、モバイル端末１００は、支持板３をさらに含む。支持板３は、順次、接続される回動部３１と支持部３２とを含む。回動部３１は、側壁１５に回動的に接続され、支持部３２は、背面１２に接触される。
【００２０】
支持板３を増設することにより、フレキシブルスクリーンアセンブリ２を大画面で使用することができる。即ち、フレキシブルスクリーンアセンブリ２が完全に展開されると、支持板３の支持部３２に支持されるようにすることができ、自由部２２の押圧が支持されるようにし、モバイル端末１００の押圧感度を向上させる。
【００２１】
本実施例において、側壁１５には、一つのストリップ状の切欠きが開けられ、回動部３１が側壁１５に回動的に接続される場合、支持部３２は、側壁１５から突出せず、モバイル端末１００の平坦性をさらに向上させる。当該ストリップ状の切欠きは、収容室１５ａの開口に隣接して設けられ、また、ストリップ状の切欠きと収容室１５ａの開口とは、それぞれ正面１１と背面１２とに接近する。ストリップ状の切欠きには、本体１の長さ方向に沿って二つの溝壁が順次、対向して設けられ、二つの溝壁には、回動孔がそれぞれ開けられている。
回動部３１は柱状であり、回動部３１の軸方向に沿って背向して設けられる両側には、それぞれ回動軸が凸設され、回動部３１は、二つの回動軸を介してそれぞれ二つの回動孔に回動的に接続され、回動部３１と側壁１５との回動接続を実現する。即ち、支持板３の回転軸は、本体１の長さ方向に平行しており、支持部３２と背面１２との間に０〜１８０度の開閉角度を有している。
【００２２】
支持板３が使用される場合には、背面１２に対して支持部３２を１８０度回動させ、フレキシブルスクリーンアセンブリ２の自由部２２を支持部３２に貼り合わせることができるようにし、自由部２２の押圧が支持されるようにし、モバイル端末１００の押圧感度を向上させる。支持板３を使用しない場合には、背面１２に貼り合わせられるように支持部３２を回動させ、モバイル端末１００の体積を低減させ、モバイル端末１００の携帯性を向上させる。
更なる改善のために、背面１２には、凹部１２ａが開けられ、支持部３２は、凹部１２ａに収容される。
【００２３】
選択可能的に、背面１２に凹部１２ａを開けることにより、支持部３２が背面１２に貼り合わせられる場合に、凹部１２ａに収容されることが可能であり、モバイル端末１００の平坦性をさらに向上させる。
【００２４】
本実施例において、背面１２と支持部３２とを貼り合わせる位置に凹部１２ａが開けられる。凹部１２ａの正面１１から背面１２の方向に沿う厚さは、支持部３２の厚さよりやや小さいか、又は等しく、支持部３２が回動して背面１２に貼り合わせられた後、この場合の背面１２は、平坦な平面となる。したがって、モバイル端末１００の平坦性を向上させる。
【００２５】
本実施例において、モバイル端末１００は、接続アセンブリをさらに含む。接続アセンブリは、第１の接続部材と、第２の接続部材と、を含む。第１の接続部材は、凹部１２ａに設けられ、第２の接続部材は、支持部３２に設けられている。支持部３２が凹部１２ａに貼り合わせられる場合、第２の接続部材は、第１の接続部材に接続される。
【００２６】
接続アセンブリを増設することにより、支持板３が本体１に収容される場合には、本体１との接続をさらに安定的に固定させることができ、モバイル端末１００の信頼性を向上させる。
【００２７】
実施例において、選択可能的に、第２の接続部材は、第１の接続部材に磁気的に吸着されることとしてもよい。具体的には、第１の接続部材が鉄であり、第１の接続部材は、凹部１２ａに設けられ、且つ側壁１５から離反している。第２の接続部材は磁石であり、第２の接続部材は、支持部３２の内部に設けられ、且つ支持部３２の端部に接近しているので、支持部３２が凹部１２ａに接近する場合、接続アセンブリとの間に吸着力が発生し、第２の接続部材が第１の接続部材に磁気的に吸着されるようにする。支持板３が本体１に収容される場合、本体１との接続をさらに安定的に固定させることができ、モバイル端末１００の信頼性を向上させる。支持板３を使用する必要がある場合には、接続アセンブリ間の磁気的吸着力を克服して支持部３２を回動させればよい。当然のことながら、他の実施例において、第２の接続部材は、第１の接続部材にスナップフィット接続されてもよい。
【００２８】
本実施例において、撮像モジュール４は、本体１に設けられ、且つフレキシブルスクリーンアセンブリ２と同一側に位置する。
【００２９】
撮像モジュール４が本体１に設けられることにより、モバイル端末１００は、一つの撮像モジュール４を利用して自撮り及びシーン撮影のニーズを実現することができる。
【００３０】
具体的には、撮像モジュール４は、本体１に設けられている。なお、撮像モジュール４は、固定部２１と同一側に位置するように、フレキシブルスクリーンアセンブリ２が固設される固定部２１の正面１１に設けられてもよい。なお、撮像モジュール４は、背面１２に設けられてもよく、自由部２２が背面１２に貼り合わせられる場合には、自由部２２の同側にある。
【００３１】
選択可能的に、撮像モジュール４は、正面１１に設けられる。ここで、正面１１には、撮像用孔が開けられ、撮像用孔は、上部端面１３に接近し、撮像モジュール４は、撮像用孔に設けられる。モバイル端末１００により自撮りする場合には、ユーザーに正面１１を向けさせ、自撮り操作をする。モバイル端末１００がシーンを撮影する場合には、ユーザーに背面１２を向けさせ、また、自由部２２を折り曲げて背面１２に貼り合わせるか、又は自由部２２を支持部３２に貼り合わせて、背面１２に対して操作を行い、シーンを撮影する操作を行う。当然のことながら、他の実施例において、撮像モジュール４は、背面１２に設けられてもよい。
【００３２】
本実施例において、モバイル端末１００は、保護部材をさらに含む。保護部材は、フレキシブルスクリーンアセンブリ２に設けられ、保護部材は、本体１とフレキシブルスクリーンアセンブリ２との間に位置する。
【００３３】
本実施例において、フレキシブルスクリーンアセンブリ２は、背向する内側面と外側面とを含み、固定部２１の内側面は、正面１１に接続されている。外側面は、表示用タッチ面である。選択可能的に、保護部材の材質は、シリコーンゴムである。シリコーンゴムを内側面に薄く塗布して、フレキシブルスクリーンアセンブリ２の硬度をさらに向上させて、軟らかすぎないようにしているので、フレキシブルスクリーンアセンブリ２の信頼性を向上させることができる。当然のことながら、他の実施例において、保護部材は、薄鋼板であってもよい。
【００３４】
モバイル端末１００をフルスクリーンで使用する必要がある場合、フレキシブルスクリーンアセンブリ２を展開状態にして大画面を形成し、支持板３で背面１２に対して支持部３２を１８０度回動させ、フレキシブルスクリーンアセンブリ２の自由部２２を支持部３２に貼り合わせることができるようにして、自由部２２の押圧が支持されるようにし、モバイル端末１００の押圧感度を向上させる。
モバイル端末１００を使用する必要がない場合、又はスモールスクリーンのみで使用する必要がある場合には、自由部２２を収容室１５ａに収容するか、又は自由部２２を折り曲げて背面１２に貼設し、モバイル端末１００の体積を低減させ、モバイル端末１００の携帯性を向上させる。
モバイル端末１００により自撮りする場合には、ユーザーに正面１１を向けさせ、自撮り操作をする。
モバイル端末１００がシーンを撮影する場合には、ユーザーに背面１２を向けさせ、また、自由部２２を折り曲げて背面１２に貼り合わせるか、又は自由部２２を支持部３２に貼り合わせることで、背面１２に対して操作を行い、シーンを撮影する操作を行う。
【００３５】
本発明により提供されるモバイル端末１００は、フレキシブルスクリーンアセンブリ２の固定部２１を本体１の正面１１に設けているので、フレキシブルスクリーンアセンブリ２の自由部２２は、自在に折り曲がることができる。また、本体１には、収容室１５ａが開けられている。自由部２２を使用しない場合には、自由部２２が折り曲がって背面１２に貼り合わせられるか、又は自由部２２が折り曲がって収容室１５ａに収容されることで収容し、モバイル端末１００の体積を低減させ、モバイル端末１００の携帯性を向上させる。
【００３６】
本発明により提供されるモバイル端末１００は、支持板３を増設することにより、フレキシブルスクリーンアセンブリ２が大画面で使用することができる。即ち、フレキシブルスクリーンアセンブリ２が完全に展開される場合には、支持板３の支持部３２に支持されるようにすることができ、自由部２２の押圧が支持されるようにし、モバイル端末１００の押圧感度を向上させる。
【００３７】
本発明により提供されるモバイル端末１００は、背面１２に凹部１２ａを開けることにより、支持部３２が背面１２に貼り合わせられる場合には、支持部３２を凹部１２ａに収容することが可能であり、モバイル端末１００の平坦性をさらに向上させることができる。
【００３８】
本発明により提供されるモバイル端末１００は、接続アセンブリを増設することにより、支持板３が本体１に収容される場合、本体１との接続をさらに安定的に固定させることができ、モバイル端末１００の信頼性を向上させる。
【００３９】
本発明により提供されるモバイル端末１００は、撮像モジュール４が本体１に設けられているため、モバイル端末１００は、一つの撮像モジュール４を利用して自撮り及びシーン撮影のニーズを実現することができる。
【００４０】
以上は、本発明の好ましい実施形態であるが、当業者にとって、本発明の原理から逸脱しないことを前提として、さらに、若干の改善と潤色をすることができ、これらの改善と潤色も本発明の保護範囲と見なす。
【図１】
0006717943.tif 000002
【図２】
0006717943.tif 000003
【図３】
0006717943.tif 000004
【図４】
0006717943.tif 000005